【手続補正書】
【提出日】平成18年9月1日(2006.9.1)
【手続補正１】
【補正対象書類名】明細書
【補正対象項目名】特許請求の範囲
【補正方法】変更
【補正の内容】
【特許請求の範囲】
【請求項１】  図柄を有する複数のリールを備え、前記各リールに表示される各図柄を変動させて抽選により選択された図柄を停止させる図柄表示装置において、
前記選択された停止図柄のうち第１停止の図柄が停止するまでに、少なくとも何れか１つのリールにおいて所定の図柄を一旦停止させる一旦停止演出を行うか抽選し、抽選により決定されたリールに所定の図柄を一旦停止させる図柄制御手段を備えてなることを特徴とする図柄表示装置。
【請求項２】  前記請求項１記載の図柄表示装置であって、
前記図柄制御手段は、前記選択された停止図柄に基づいて前記一旦停止演出を行うか抽選により決定することを特徴とする図柄表示装置。
【請求項３】  前記請求項１又は２記載の図柄表示装置であって、
前記図柄制御手段は、前記一旦停止演出を行うと抽選により決定された場合、一旦停止させるリールの数及び何れかのリールで一旦停止させるかを抽選により決定することを特徴とする図柄表示装置。
【請求項４】  前記請求項１乃至３何れか１項記載の図柄表示装置であって、
前記図柄制御手段は、前記一旦停止演出を行うと抽選により決定された場合、前記一旦停止させる図柄を抽選により決定することを特徴とする図柄表示装置。
【請求項５】  前記請求項１乃至４何れか１項記載の図柄表示装置であって、
前記図柄制御手段は、前記一旦停止演出を行うと抽選により決定された場合、一旦停止のタイミングを決定することを特徴とする図柄表示装置。
【請求項６】  請求項１乃至４何れか１項記載の図柄表示装置の図柄表示装置であって、
前記図柄制御手段は、変動する各リールの図柄を所定時間ずらして一旦停止させることを特徴とする図柄表示装置。
【請求項７】  前記請求項１乃至６何れか１項記載の図柄表示装置を備えてなることを特徴とする遊技装置。
【請求項８】  図柄を有する複数のリールを備え、前記各リールに表示される各図柄を変動させて抽選により選択された図柄を停止させる図柄表示方法において、
前記選択された停止図柄のうち第１停止の図柄が停止するまでに、少なくとも何れか１つのリールにおいて所定の図柄を一旦停止させる一旦停止演出を行うか抽選し、抽選により決定されたリールに所定の図柄を一旦停止させることを特徴とする図柄表示方法。
【請求項９】  前記選択された停止図柄のうち第１停止の図柄が停止するまでに、少なくとも何れか１つのリールにおいて所定の図柄を一旦停止させる一旦停止演出を行うか抽選し、抽選により決定されたリールに所定の図柄を一旦停止させる制御プログラムを記憶したコンピュータ読み取り可能な記憶媒体。
【手続補正２】
【補正対象書類名】明細書
【補正対象項目名】０００７
【補正方法】変更
【補正の内容】
【０００７】
【課題を解決するための手段】
上記課題を解決するため、本発明は以下のような特徴を有する。
上記請求項１記載の発明は、図柄を有する複数のリールを備え、前記各リールに表示される各図柄を変動させて抽選により選択された図柄を停止させる図柄表示装置において、
前記選択された停止図柄のうち第１停止の図柄が停止するまでに、少なくとも何れか１つのリールにおいて所定の図柄を一旦停止させる一旦停止演出を行うか抽選し、抽選により決定されたリールに所定の図柄を一旦停止させる図柄制御手段を備えてなることを特徴とするものである。
【手続補正３】
【補正対象書類名】明細書
【補正対象項目名】０００８
【補正方法】変更
【補正の内容】
【０００８】
従って、上記請求項１記載の発明によれば、選択された停止図柄のうち第１停止の図柄が停止するまでに、少なくとも何れか１つのリールにおいて所定の図柄を一旦停止させる一旦停止演出を行うか抽選し、抽選により決定されたリールに所定の図柄を一旦停止させるため、趣向性を高めることができ、より多くの遊技者が楽しめる。
また、上記請求項２記載の発明は、前記請求項１記載の図柄表示装置であって、
前記図柄制御手段は、前記選択された停止図柄に基づいて前記一旦停止演出を行うか抽選により決定することを特徴とするものである。
【手続補正４】
【補正対象書類名】明細書
【補正対象項目名】０００９
【補正方法】変更
【補正の内容】
【０００９】
従って、上記請求項２記載の発明によれば、選択された停止図柄に基づいて前記一旦停止演出を行うか抽選により決定するため、趣向性を高めることができ、より多くの遊技者が楽しめる。
【手続補正５】
【補正対象書類名】明細書
【補正対象項目名】００１０
【補正方法】変更
【補正の内容】
【００１０】
また、上記請求項３記載の発明は、前記請求項１又は２記載の図柄表示装置であって、
前記図柄制御手段は、前記一旦停止演出を行うと抽選により決定された場合、一旦停止させるリールの数及び何れかのリールで一旦停止させるかを抽選により決定することを特徴とするものである。
従って、上記請求項３記載の発明によれば、一旦停止させるリールの数及び何れかのリールで一旦停止させるかを抽選により決定するため、一旦停止のバリエーションを増やして趣向性を高めることができ、より多くの遊技者が楽しめる。
【手続補正６】
【補正対象書類名】明細書
【補正対象項目名】００１１
【補正方法】変更
【補正の内容】
【００１１】
また、上記請求項４記載の発明は、前記請求項１乃至３何れか１項記載の図柄表示装置であって、
前記図柄制御手段は、前記一旦停止演出を行うと抽選により決定された場合、前記一旦停止させる図柄を抽選により決定することを特徴とするものである。
従って、上記請求項４記載の発明によれば、一旦停止させる図柄を抽選により決定するため、一旦停止動作のバリエーションを増やして趣向性をより高めることができる。
【手続補正７】
【補正対象書類名】明細書
【補正対象項目名】００１２
【補正方法】変更
【補正の内容】
【００１２】
また、上記請求項５記載の発明は、前記請求項１乃至４何れか１項記載の図柄表示装置であって、
前記図柄制御手段は、前記一旦停止演出を行うと抽選により決定された場合、一旦停止のタイミングを決定することを特徴とするものである。
従って、上記請求項５記載の発明によれば、一旦停止演出を行うと抽選により決定された場合、一旦停止のタイミングを決定するため、一旦停止のバリエーションを増やすことができ、趣向性をより高めることができる。
【手続補正８】
【補正対象書類名】明細書
【補正対象項目名】００１３
【補正方法】変更
【補正の内容】
【００１３】
また、上記請求項６記載の発明は、請求項１乃至４何れか１項記載の図柄表示装置であって、
前記図柄制御手段は、変動する各リールの図柄を所定時間ずらして一旦停止させることを特徴とするものである。
従って、上記請求項６記載の発明によれば、変動する各リールの図柄を所定時間ずらして一旦停止させるため、一旦停止動作のバリエーションを増やすことができ、趣向性をより高めることができる。
【手続補正９】
【補正対象書類名】明細書
【補正対象項目名】００１４
【補正方法】変更
【補正の内容】
【００１４】
また、上記請求項７記載の発明は、前記請求項１乃至６何れか１項記載の図柄表示装置を備えてなることを特徴とする遊技装置である。
従って、上記請求項７記載の発明によれば、パチンコ機あるいはパチスロ機等の遊技装置において、一旦停止動作のバリエーションを増やすことができ、趣向性をより高めることができると共に、リーチ予告あるいは大当たりの予告を分かりやすく行えるので、遊技者の不満を解消することができる。
【手続補正１０】
【補正対象書類名】明細書
【補正対象項目名】００１５
【補正方法】変更
【補正の内容】
【００１５】
また、上記請求項８記載の発明は、図柄を有する複数のリールを備え、前記各リールに表示される各図柄を変動させて抽選により選択された図柄を停止させる図柄表示方法において、
前記選択された停止図柄のうち第１停止の図柄が停止するまでに、少なくとも何れか１つのリールにおいて所定の図柄を一旦停止させる一旦停止演出を行うか抽選し、抽選により決定されたリールに所定の図柄を一旦停止させることを特徴とする図柄表示方法である。
従って、上記請求項８記載の発明によれば、選択された停止図柄のうち第１停止の図柄が停止するまでに、少なくとも何れか１つのリールにおいて所定の図柄を一旦停止させる一旦停止演出を行うか抽選し、抽選により決定されたリールに所定の図柄を一旦停止させる方法により、趣向性を高めることができ、より多くの遊技者が楽しめる。
【手続補正１１】
【補正対象書類名】明細書
【補正対象項目名】００１６
【補正方法】変更
【補正の内容】
【００１６】
また、上記請求項９記載の発明は、前記選択された停止図柄のうち第１停止の図柄が停止するまでに、少なくとも何れか１つのリールにおいて所定の図柄を一旦停止させる一旦停止演出を行うか抽選し、抽選により決定されたリールに所定の図柄を一旦停止させる制御プログラムを記憶したコンピュータ読み取り可能な記憶媒体である。
従って、上記請求項９記載の発明によれば、記憶媒体に記憶された制御プログラムをコンピュータが読み取ることにより、選択された停止図柄のうち第１停止の図柄が停止するまでに、少なくとも何れか１つのリールにおいて所定の図柄を一旦停止させる一旦停止演出を行うか抽選し、抽選により決定されたリールに所定の図柄を一旦停止させることができ、趣向性をより高めることができる。
【手続補正１２】
【補正対象書類名】明細書
【補正対象項目名】００６５
【補正方法】変更
【補正の内容】
【００６５】
【発明の効果】
上述の如く、請求項１記載の発明によれば、選択された停止図柄のうち第１停止の図柄が停止するまでに、少なくとも何れか１つのリールにおいて所定の図柄を一旦停止させる一旦停止演出を行うか抽選し、抽選により決定されたリールに所定の図柄を一旦停止させるため、趣向性を高めることができ、より多くの遊技者が楽しめる。
また、上記請求項２記載の発明によれば、選択された停止図柄に基づいて前記一旦停止演出を行うか抽選により決定するため、趣向性を高めることができ、より多くの遊技者が楽しめる。
【手続補正１３】
【補正対象書類名】明細書
【補正対象項目名】００６６
【補正方法】変更
【補正の内容】
【００６６】
また、上記請求項３記載の発明によれば、一旦停止させるリールの数及び何れかのリールで一旦停止させるかを抽選により決定するため、一旦停止のバリエーションを増やして趣向性を高めることができ、より多くの遊技者が楽しめる。
また、上記請求項４記載の発明によれば、一旦停止させる図柄を抽選により決定するため、一旦停止動作のバリエーションを増やして趣向性をより高めることができる。
【手続補正１４】
【補正対象書類名】明細書
【補正対象項目名】００６７
【補正方法】変更
【補正の内容】
【００６７】
また、上記請求項５記載の発明によれば、一旦停止演出を行うと抽選により決定された場合、一旦停止のタイミングを決定するため、一旦停止のバリエーションを増やして趣向性をより高めることができる。
また、上記請求項６記載の発明によれば、変動する各リールの図柄を所定時間ずらして一旦停止させるため、一旦停止動作のバリエーションを増やすことができ、趣向性をより高めることができる。
【手続補正１５】
【補正対象書類名】明細書
【補正対象項目名】００６８
【補正方法】変更
【補正の内容】
【００６８】
また、上記請求項７記載の発明によれば、パチンコ機あるいはパチスロ機等の遊技装置において、一旦停止動作のバリエーションを増やすことができ、趣向性をより高めることができると共に、リーチ予告あるいは大当たりの予告を分かりやすく行えるので、遊技者の不満を解消することができる。
また、上記請求項８記載の発明によれば、選択された停止図柄のうち第１停止の図柄が停止するまでに、少なくとも何れか１つのリールにおいて所定の図柄を一旦停止させる一旦停止演出を行うか抽選し、抽選により決定されたリールに所定の図柄を一旦停止させる方法により、趣向性を高めることができ、より多くの遊技者が楽しめる。
また、上記請求項９記載の発明によれば、記憶媒体に記憶された制御プログラムをコンピュータが読み取ることにより、選択された停止図柄のうち第１停止の図柄が停止するまでに、少なくとも何れか１つのリールにおいて所定の図柄を一旦停止させる一旦停止演出を行うか抽選し、抽選により決定されたリールに所定の図柄を一旦停止させることができ、趣向性をより高めることができる。